(57)【要約】【課題】奥歯の裏側および奥歯の裏側の歯周ポケットを容易に磨くことができ、かつ、奥歯以外の歯も効率よく磨くことができる歯ブラシ及びその製造方法を提供する。【解決手段】複数本の用毛を束ねてなる毛束がヘッド部の植毛面に複数植設された毛束群を備える歯ブラシであって、少なくとも前記ヘッド部の先端領域において植設される先端領域毛束群は、前記植毛面に対し傾斜して植毛されており、前記ヘッド部の幅方向から見て、前記植毛面に垂直で、かつ、前記ヘッド部の先端を通過する仮想線を越えた前記ヘッド部の先端側外側領域に、前記先端領域毛束群の一部における先端が配置されていることを特徴とする歯ブラシ。【選択図】図３
2020005981.tif 000002
【特許請求の範囲】
【請求項１】
複数本の用毛を束ねてなる毛束がヘッド部の植毛面に複数植設された毛束群を備える歯ブラシであって、
少なくとも前記ヘッド部の先端領域において植設される先端領域毛束群は、前記植毛面に対し傾斜して植毛されており、
前記ヘッド部の幅方向から見て、前記植毛面に垂直で、かつ、前記ヘッド部の先端を通過する仮想線を越えた前記ヘッド部の先端側外側領域に、前記先端領域毛束群の一部における先端が配置されていることを特徴とする歯ブラシ。
【請求項２】
前記先端領域毛束群は、前記植毛面に垂直な垂線に対して、１０°以上３０°以下の傾斜角度で植毛されていることを特徴とする請求項１に記載の歯ブラシ。
【請求項３】
前記仮想線と平行なラインであって、前記ヘッド部の最も先端側に植設される毛束の先端を通過する第２の仮想線と、前記仮想線との距離は、１ｍｍ以上３ｍｍ以下であることを特徴とする請求項１又は２に記載の歯ブラシ。
【請求項４】
前記先端領域毛束群に隣接して植設される基端領域毛束群も、前記植毛面に対し傾斜して植毛されていることを特徴とする請求項１から３のいずれかに記載の歯ブラシ。
【請求項５】
前記基端領域毛束群は、前記植毛面に垂直な垂線に対して、１０°以上３０°以下の傾斜角度で植毛されていることを特徴とする請求項４に記載の歯ブラシ。
【請求項６】
前記毛束群は、前記ヘッド部の幅方向中央部から前記ヘッド部の幅方向外側に向けて、中央側が高く外側が低くなるよう傾斜する先端形状を備えると共に、最も幅方向外側に配列される各用毛は、前記ヘッド部の基端側から先端側に向かうに従い徐々にその高さが高くなることを特徴とする請求項１から５のいずれかに記載の歯ブラシ。
【請求項７】
前記ヘッド部の幅方向から見て、前記最も幅方向外側に配列される各用毛の先端を結ぶ稜線は、直線状又は湾曲状となるように形成されることを特徴とする請求項６に記載の歯ブラシ。
【請求項８】
前記植毛面に対して隆起する隆起部を複数備えており、
前記各隆起部は、前記ヘッド部の先端側から基端側に向けて前記植毛面から離隔する方向に傾斜する第１傾斜面を備えており、
前記第１傾斜面には、前記各毛束が植設される植毛穴が形成されており、
前記第１傾斜面の傾斜角度は、前記ヘッド部の幅方向から見て、前記植毛面に対して１０°以上３０°以下であり、
前記植毛穴の軸線は、前記第１傾斜面に対して垂直な方向に沿うことを特徴とする請求項１から７のいずれかに記載の歯ブラシ。
【請求項９】
複数本の用毛を束ねてなる毛束がヘッド部の植毛面に複数植設された毛束群を備える歯ブラシの製造方法であって、
前記ヘッド部の前記植毛面に対して、複数の傾斜した植毛穴を形成する植毛穴形成ステップと、
同じ長さとされた複数本の用毛を束ねた毛束の端を揃える毛束準備ステップと、
前記毛束準備ステップの後、前記毛束を、平線を介して、前記ヘッド部の植毛穴に植毛する植毛ステップとを備え、
前記植毛穴形成ステップは、各植毛穴の開口部が、穴底部よりも前記ヘッド部の先端側となるように傾斜した穴を形成する工程を備えており、当該植毛穴の軸線は、前記植毛面に垂直な垂線に対して、１０°以上３０°以下の傾斜角度を有することを特徴とする歯ブラシの製造方法。
【請求項１０】
前記植毛ステップは、前記植毛穴の軸線に対して、２°以上１０°以下の範囲で傾斜させた状態で前記平線を前記植毛穴に挿入して前記毛束を植毛することを特徴とする請求項９に記載の歯ブラシの製造方法。
【発明の詳細な説明】
【技術分野】
【０００１】
本発明は、歯ブラシ及び歯ブラシの製造方法に関する。
【背景技術】
【０００２】
健康な歯の維持が、健康や美容にとって重要であり、とくに歯間の食物カスや歯垢の除去を日々の歯磨きにおいて励行することが望ましい。しかし、歯には磨きやすい歯と、磨きにくく、磨き残しが生じやすい歯とがある。
【０００３】
従来の歯ブラシでは、一般に奥の歯ほど磨きにくく、特に奥歯の裏側や奥歯の裏側の歯周ポケットを、角度をつけて効率的かつ容易に磨くのは困難であり、磨き残しが生じやすく、虫歯や歯周病の原因となりやすい。また、口が小さく歯磨きの技量も低い幼児や、口を大きく開けることができない老人にとっては、奥歯の裏側を磨くことは非常に困難であった。
【０００４】
このような奥歯の磨き残しの問題を解消すべく、例えば、特許文献１に開示されているように、植毛部の面積をできるだけ小さくし、奥歯の裏の歯周ポケットに十分到達する長さで弾性力のある毛が植毛された、奥歯の裏みがき歯ブラシが提案されている。また、特許文献２に開示されているように、把持部の一方の端部に、Ｕ字に湾曲した奥歯の裏を磨くためのブラシを備えた歯ブラシが提案されている。
【先行技術文献】
【特許文献】
【０００５】
【特許文献１】特開平１１−５６４７４号公報
【特許文献２】特開平１１−４６８６２号公報
【発明の概要】
【発明が解決しようとする課題】
【０００６】
上述の従来からある歯ブラシは、奥歯（特に奥歯の裏側）を磨くうえで一定の効果があるようにも思えるが、実際上はそれほど奥歯を綺麗に磨くことができるものではなく、また、奥歯磨きに特化したものであることから、奥歯以外の歯を磨くのには適しておらず、使用者とって使用しづらい歯ブラシであるという問題があった。
【０００７】
本発明は、このような問題を解決するためになされたものであって、奥歯の裏側および奥歯の裏側の歯周ポケットを容易に磨くことができ、かつ、奥歯以外の歯も効率よく磨くことができる歯ブラシ及びその製造方法を提供することを目的とする。
【課題を解決するための手段】
【０００８】
本発明の上記目的は、複数本の用毛を束ねてなる毛束がヘッド部の植毛面に複数植設された毛束群を備える歯ブラシであって、少なくとも前記ヘッド部の先端領域において植設される先端領域毛束群は、前記植毛面に対し傾斜して植毛されており、前記ヘッド部の幅方向から見て、前記植毛面に垂直で、かつ、前記ヘッド部の先端を通過する仮想線を越えた前記ヘッド部の先端側外側領域に、前記先端領域毛束群の一部における先端が配置されていることを特徴とする歯ブラシにより達成される。
【０００９】
また、上記歯ブラシにおいて、前記先端領域毛束群は、前記植毛面に垂直な垂線に対して、１０°以上３０°以下の傾斜角度で植毛されていることが好ましい。
【００１０】
また、前記仮想線と平行なラインであって、前記ヘッド部の最も先端側に植設される毛束の先端を通過する第２の仮想線と、前記仮想線との距離は、１ｍｍ以上３ｍｍ以下であることが好ましい。
【００１１】
また、前記先端領域毛束群に隣接して植設される基端領域毛束群も、前記植毛面に対し傾斜して植毛されていることが好ましい。ここで、前記基端領域毛束群は、前記植毛面に垂直な垂線に対して、１０°以上３０°以下の傾斜角度で植毛されていることが好ましい。
【００１２】
また、前記毛束群は、前記ヘッド部の幅方向中央部から前記ヘッド部の幅方向外側に向けて、中央側が高く外側が低くなるよう傾斜する先端形状を備えると共に、最も幅方向外側に配列される各用毛は、前記ヘッド部の基端側から先端側に向かうに従い徐々にその高さが高くなることが好ましい。
【００１３】
また、前記ヘッド部の幅方向から見て、前記最も幅方向外側に配列される各用毛の先端を結ぶ稜線は、直線状となるように形成されることが好ましい。
【００１４】
また、前記植毛面に対して隆起する隆起部を複数備えており、前記各隆起部は、前記ヘッド部の先端側から基端側に向けて前記植毛面から離隔する方向に傾斜する第１傾斜面を備えており、前記第１傾斜面には、前記各毛束が植設される植毛穴が形成されており、前記第１傾斜面の傾斜角度は、前記ヘッド部の幅方向から見て、前記植毛面に対して１０°以上３０°以下であり、前記植毛穴の軸線は、前記第１傾斜面に対して垂直な方向に沿うように構成してもよい。
【００１５】
また、本発明の上記目的は、複数本の用毛を束ねてなる毛束がヘッド部の植毛面に複数植設された毛束群を備える歯ブラシの製造方法であって、前記ヘッド部の前記植毛面に対して、複数の傾斜した植毛穴を形成する植毛穴形成ステップと、同じ長さとされた複数本の用毛を束ねた毛束の端を揃える毛束準備ステップと、前記毛束準備ステップの後、前記毛束を、平線を介して、前記ヘッド部の植毛穴に植毛する植毛ステップとを備え、前記植毛穴形成ステップは、各植毛穴の開口部が、穴底部よりも前記ヘッド部の先端側となるように傾斜した穴を形成する工程を備えており、当該植毛穴の軸線は、前記植毛面に垂直な垂線に対して、１０°以上３０°以下の傾斜角度を有することを特徴とする歯ブラシの製造方法により達成される。
【００１６】
この歯ブラシの製造方法においては、前記植毛ステップは、前記植毛穴の軸線に対して、２°以上１０°以下の範囲で傾斜させた状態で前記平線を前記植毛穴に挿入して前記毛束を植毛することを特徴とする請求項８に記載の歯ブラシの製造方法。
【発明の効果】
【００１７】
本発明によれば、奥歯の裏側および奥歯の裏側の歯周ポケットを容易に磨くことができ、かつ、奥歯以外の歯も効率よく磨くことができる歯ブラシ、及びその製造方法を提供することができる。
【図面の簡単な説明】
【００１８】
【図１】本発明に係る歯ブラシの概略構成平面図である。
【図２】図１に示す歯ブラシの概略構成側面図である。
【図３】図１に示す歯ブラシの要部拡大図である。
【図４】図１に示す歯ブラシにおけるヘッド部の幅方向に沿った断面を示す概略構成断面図である。
【図５】図４の矢視Ａ方向から見た要部拡大概略構成側面図である。
【図６】本発明に係る歯ブラシの製造方法を説明するためのブロック図である
【図７】本発明に係る歯ブラシの製造方法が備える植毛穴形成ステップを説明するための模式断面図である。
【図８】本発明に係る歯ブラシの製造方法が備える植毛ステップを説明するための模式断面図である。
【図９】図１に示す本発明に係る歯ブラシの変形例に関する模式断面図である。
【図１０】図９の矢視Ｃ方向から見た模式平面図である。
【発明を実施するための形態】
【００１９】
以下、本発明に係る歯ブラシ１について、添付図面を参照して説明する。なお、各図は、構成の理解を容易ならしめるために部分的に拡大・縮小している。図１は、本発明に係る歯ブラシ１の概略構成平面図であり、図２は、概略構成側面図である。
【００２０】
本発明にかかる歯ブラシ１は、図１及び図２に示すように、歯ブラシ本体２と毛束群６とを備えている。 歯ブラシ本体２は、硬質な材料から構成されており、先端に配置され、かつ、複数本の用毛を束ねてなる毛束６１が植毛面３１に複数植設されるヘッド部３と、該ヘッド部３の基端側に延設されたネック部４と、ネック部４の後端（ヘッド部３側とは反対側の端部）側に延設されるハンドル部５とを備えている。
【００２１】
歯ブラシ本体２は、全体として長尺状に一体形成されたものであり、例えば、樹脂を材料とし射出成形により得られるものである。 歯ブラシ本体２の材質としては、例えば、ポリプロピレン樹脂（ＰＰ）、ポリエチレンテレフタレート樹脂（ＰＥＴ）、ポリスチレン樹脂（ＰＳ）、ポリブチレンテレフタレート樹脂（ＰＢＴ）、ポリアセタール樹脂（ＰＯＭ）、アクリロニトリルブタジエンスチレン樹脂（ＡＢＳ）、ポレアリレート樹脂、ポリカーボネート樹脂、アクリロニトリルスチレン樹脂（ＡＳ）などが挙げられる。これらの樹脂は１種を単独で使用してもよいし、２種以上を併用してもよい。 歯ブラシ本体２の長さは、特に限定されず、例えば、１００〜２００ｍｍの長さに構成することができる。
【００２２】
ヘッド部３は、厚さ方向の一方面側（上面側）に植毛面３１を有している。本実施形態においては、ヘッド部３の平滑な一方面が植毛面３１を形成している。植毛面３１には、植毛穴３２が複数形成され、植毛穴３２に用毛の毛束６１が植設されている。なお、図１においては、毛束６１の図示が省略されている。
【００２３】
ヘッド部３の長さは、特に限定されないが、毛束６１を植設する面積を十分に確保しつつ、口腔内での高い操作性を得るという観点から、例えば、１０〜３５ｍｍの範囲に設定することが好ましく、１５〜３０ｍｍの範囲に設定することがより好ましい。 ヘッド部３の幅、すなわち植毛面３１と平行で、且つハンドル部５の長さ方向と直交する方向の幅（以下、単に幅を称する）は、特に限定されず、例えば、５〜１５ｍｍの範囲に設定することが好ましく、８〜１２ｍｍの範囲に設定することがより好ましい。
【００２４】
ネック部４は、ヘッド部３の植毛面３１と略平行に延在するように構成されている。 ネック部４の長さは、特に限定されず、例えば、１０〜３０ｍｍの範囲に設定することが好ましい。ネック部４の幅は、特に限定されず、例えば、３．０〜５．０ｍｍの範囲に設定することが好ましい。
【００２５】
ハンドル部５は、歯ブラシ１を使用する際に手で保持する部分であり、ネック部４と同様に、ヘッド部３の植毛面３１と平行に延在して構成されている。また、ハンドル部５は、滑り止め機能を持たせるために、例えば、エラストマー等の柔軟な樹脂が部分的又は全体に被覆されていてもよい。エラストマーとしては、例えば、ポリスチレン系熱可塑性エラストマー、ポリオレフィン系熱可塑性エラストマー、ポリウレタン系熱可塑性エラストマー、ポリエステル系熱可塑性エラストマー、ポリアミド系熱可塑性エラストマー、１，２−ポリブタジエン系熱可塑性エラストマー、エチレン−酢酸ビニル系熱可塑性エラストマー、ポリ塩化ビニル系熱可塑性エラストマー、天然エラストマー系熱可塑性エラストマー、ふっ素エラストマー系熱可塑性エラストマー、トランス−ポリイソプレン系熱可塑性エラストマー、塩素化ポリエチレン系熱可塑性エラストマー等のエラストマー材料を用いることが可能である。
【００２６】
ヘッド部３に形成される複数の植毛穴３２には複数本の用毛を束ねてなる毛束６１が複数植設された毛束群６が設けられている。この毛束群６は、図３の要部拡大図に示すように、ヘッド部３の先端領域において植設される先端領域毛束群６ａと、該先端領域毛束群６ａに対してネック部４側（ヘッド部３の基端側）に隣接して植設される基端領域毛束群６ｂとを備えている。毛束群６は、図２や図３に示すように、植毛面３１に対し傾斜して植毛されている。また、図２や図３に示すように、ヘッド部３の幅方向から見て、植毛面３１に垂直で、かつ、ヘッド部３の先端を通過する仮想線Ｌ１を越えたヘッド部３の先端側外側領域Ｚに、ヘッド部３の先端領域において植設される先端領域毛束群６ａの一部の毛束６１における先端（毛先）が配置されるように構成されている。
【００２７】
また、毛束群６を構成する毛束６１は、図３に示すように、毛束群６を構成する毛束６１は、植毛面３１に垂直な垂線Ｌ０に対して、１０°以上３０°以下の傾斜角度θ１で植毛されていることが好ましく、１５°以上２５°以下の傾斜角度θ１で植毛されることがより好ましい。また、上述の仮想線Ｌ１と平行なラインであって、ヘッド部３の最も先端側に植設される毛束６１の先端を通過する第２の仮想線Ｌ２と、仮想線Ｌ１との距離Ｄは、１ｍｍ以上３ｍｍ以下の範囲となるように構成することが好ましい。
【００２８】
ここで、図２や図３に示すように、毛束群６（先端領域毛束群６ａ及び基端領域毛束群６ｂ）を構成する全ての毛束６１が、植毛面３１に対して傾斜して植毛されるように構成することが好ましいが、例えば、毛束群６のうち、ヘッド部３の先端領域において植設される先端領域毛束群６ａのみが、植毛面３１に対し傾斜するように構成し、基端領域毛束群６ｂを構成する毛束６１が、植毛面３１に対して垂直に植設されるように構成してもよい。
【００２９】
また、図４の概略構成断面図に示すように、毛束群６は、ヘッド部３の幅方向中央部からヘッド部３の幅方向外側に向けて、中央側が高く外側が低くなるよう傾斜する先端形状を備えると共に、図５の要部拡大概略構成側面図（図４の矢視Ａ方向から見た側面図）に示すように、最も幅方向外側に配列される各用毛は、ヘッド部３の基端側から先端側に向かうに従い徐々にその高さが高くなるように構成することが好ましい。また、ヘッド部３の幅方向から見て、最も幅方向外側に配列される各用毛の先端を結ぶ稜線６２は、直線状又は湾曲状となるように形成されることが好ましい。特に、効率的に歯ブラシ１を製造するという観点からは、最も幅方向外側に配列される各用毛の先端を結ぶ稜線６２が直線状となるように構成することが好ましい。なお、図５においては、ヘッド部３において最も幅方向外側に配列される各用毛のみを記載しており、当該最も幅方向外側に配列される各用毛よりも内側に配置される用毛部分を、二点鎖線で囲ったアミカケ表記にて示している。
【００３０】
このような歯ブラシ１は、図６に示すブロック図に示すような工程を経ることにより製造することができる。つまり、植毛穴形成ステップＳ１と、毛束準備ステップＳ２と、植毛ステップＳ３とを備える製造方法により製造することができる。
【００３１】
具体的に説明すると、植毛穴形成ステップＳ１は、歯ブラシ本体２のヘッド部３の植毛面３１に対して、複数の傾斜した植毛穴３２を形成する工程である。この植毛穴形成ステップＳ１は、図７の模式断面図に示すように、各植毛穴３２の開口部３２ａが、穴底部３２ｂよりもヘッド部３の先端側となるように傾斜した穴を形成する工程を備えている。当該植毛穴３２の軸線Ｌ３は、植毛面３１に垂直な垂線Ｌ０に対して、１０°以上３０°以下の傾斜角度θ２、より好ましくは、１５°以上２５°以下の傾斜角度θ２を備えるように形成されている。
【００３２】
毛束準備ステップＳ２は、同じ長さとされた複数本の用毛を束ねた毛束６１の端を揃える工程である。
【００３３】
植毛ステップＳ３は、毛束準備ステップＳ２の後工程であり、端が揃えられた毛束６１を、図８の模式断面図に示すように、平線７を介して、ヘッド部３の植毛穴３２に植毛する工程である。ここで、植毛の具体的手法は、従来から知られている方法を採用することができる。例えば、毛束６１の長さ方向の中心位置において、該毛束６１を２つ折りにして、折り曲げられた屈曲部に平線７を入れ、該平線７を毛束６１と共に植毛穴３２に強い力で差し込んで固定（植毛）してもよく、或いは、毛束６１（用毛）の一方端（植設される側の端部）をカール状に形成し、当該カール部分に平線７を入れ、該平線７を毛束６１と共に植毛穴３２に強い力で差し込んで固定（植毛）してもよい。ここで、平線７を植毛穴３２に挿入する工程であるが、植毛面３１に対して垂直な方向で平線７を植毛穴３２に挿入したり、或いは、植毛穴３２の軸線Ｌ３と平行に平線７を植毛穴３２に挿入するのではなく、植毛穴３２の軸線Ｌ３に対して、２°以上１０°以下の範囲の傾斜角度θ３で傾斜させて挿入することが好ましい。に、平線７を植毛穴３２の軸線Ｌ３に対して、４°以上７°以下の傾斜角度θ３で傾斜させて挿入することがより好ましい。なお、植毛穴３２の軸線Ｌ３に対する平線７の挿入角度の傾く方向は、図８に示すように、植毛穴３２の軸線Ｌ３に対してヘッド部３の基端側（ネック部４やハンドル部５が存在する方向側）に傾く方向が好ましい。このように、植毛穴３２の軸線Ｌ３に対して所定角度傾斜させた状態で平線７を挿入することにより、平線７が、途中で止まったり、滑りを生じさせることなくスムーズに植毛穴３２の奥にまで挿入することが可能となる。なお、平線７とは、毛束６１と共に打ち込んで固定するための金属片であり、植毛穴３２径よりわずかに長い棒状或いは略長方形の形態を有している。また、通常、真鍮やニッケルシルバー、ステンレススチール、白銅等から形成される。
【００３４】
次に、本発明に係る歯ブラシ１の作用効果について説明する。本発明の歯ブラシ１は、上述のように、ヘッド部３の幅方向から見て（図２や図３）、植毛面３１に垂直で、かつ、ヘッド部３の先端を通過する仮想線Ｌ１を越えたヘッド部３の先端側外側領域Ｚに、ヘッド部３の先端領域において植設される先端領域毛束群６ａの一部の毛束６１における先端（毛先）が配置されるように構成し、一部の毛束６１の毛先をヘッド部３の先端から外方に配置するように構成している。このような構成により、硬質なヘッド部３の先端部分が口腔内の奥の歯茎や顎骨部分に当ることなく、毛束６１の先端部が奥歯や奥歯の裏側にまで届くことになる為、奥歯の裏側や奥歯の裏側の歯周ポケットを効率的にかつ容易に磨くことが可能となり、虫歯や歯周病を予防することができる。
【００３５】
また、本発明に係る歯ブラシ１は、奥歯の裏側や奥歯の裏側の歯周ポケットを効果的に磨くことができる先端領域毛束群６ａに隣接して基端領域毛束群６ｂを備えるように構成しているため、奥歯以外の歯についても効率よく磨くことが可能となる。
【００３６】
また、図４に示すように、毛束群６は、ヘッド部３の幅方向中央部からヘッド部３の幅方向外側に向けて、中央側が高く外側が低くなるよう傾斜する先端形状を備えると共に、図５に示すように、最も幅方向外側に配列される各用毛は、ヘッド部３の基端側から先端側に向かうに従い徐々にその高さが高くなるように構成されているため、毛束群６に関して、先端領域毛束群６ａを構成する部分をしなやかで柔らかに構成できる一方、基端領域毛束群６ｂを構成する部分を硬めに構成することができる。このような構成を採用することにより、奥歯以外の歯を磨く際にしっかりと磨くことが可能となる。また、毛束群６の硬さを部分的に変化させることにより、使用者の好みや使用者の口腔状態に応じた部分を使用して、歯のブラッシングや歯茎のマッサージを行うこともできる。例えば、歯肉炎や歯周病、また知覚過敏といった口腔トラブルを抱えている使用者は、「やわらかめ」の歯ブラシ１先端部を用いての歯のブラッシングやマッサージ行うことができ、特に口腔トラブルを抱えていない使用者は、「やわらかめ」の歯ブラシ１先端部のみならず、「かため」の基端領域毛束群６ｂ部分を用いて歯のブラッシングやマッサージを行うというように、毛束群６の使用部分を変化させることができるため、使用者の利便性を大きく向上させることができる。
【００３７】
以上、本発明の一実施形態に係る歯ブラシ１について説明したが、歯ブラシ１の具体的構成は、上記実施形態に限定されない。上記実施形態においては。歯ブラシ本体２が、ヘッド部３とハンドル部５との間に、ヘッド部３やハンドル部５よりも幅細のネック部４を備えるように構成されてが、このようなネック部４を特に設けず、ヘッド部３にハンドル部５が連接するようにして歯ブラシ本体２を構成してもよい。
【００３８】
また、上記実施形態においては、図４の概略構成断面図に示すように、毛束群６が、ヘッド部３の幅方向中央部からヘッド部３の幅方向外側に向けて、中央側が高く外側が低くなるよう傾斜する先端形状を備えるように構成されているが、このような傾斜を形成せず、毛束群６を構成する用毛の長さが、全ての領域において同一となるように構成してもよい。
【００３９】
また、上記実施形態においては、図４のように、毛束群６が、ヘッド部３の幅方向中央部からヘッド部３の幅方向外側に向けて、中央側が高く外側が低くなるよう傾斜する先端形状を備えるように構成する場合に、最も幅方向外側に配列される各用毛が、図５に示すように、ヘッド部３の基端側から先端側に向かうに従い徐々にその高さが高くなるように構成しているが、このような高さの変化を形成せずに、最も幅方向外側に配列される各用毛の高さが、ヘッド部３の基端側から先端側にかけて、同一寸法となるように構成してもよい。また、例えば、先端領域毛束群６ａにおける最も幅方向外側に配列される各用毛の高さに関しては同一の高さＨ１となるように構成しつつ、基端領域毛束群６ｂにおける最も幅方向外側に配列される各用毛の高さを同一の高さＨ２となるように構成し、高さＨ１の寸法を高さＨ２の寸法よりも大きくして、二段階の高さ変化をもたせるように構成してもよい。
【００４０】
また、上記実施形態においては、図２や図７等に示すように、平滑なヘッド部３の一方面に植毛穴３２を形成するように構成しているが、例えば、図９の模式断面図や、この図９の矢視Ｃ方向から見た模式平面図である図１０に示すように、植毛面３１に対して隆起する隆起部３３を複数備えるように構成し、各隆起部３３に植毛穴３２を形成するように構成してもよい。より具体的に説明すると、各隆起部３３は、ヘッド部３の先端側から基端部側にかけて平行に配列されるように形成されており、ヘッド部３の先端側から基端側に向けて植毛面３１（ヘッド部３の一方の面）から離隔する方向に傾斜する第１傾斜面３４と、ヘッド部３の先端側から基端側に向けて植毛面３１側に向けて下方に傾斜する第２傾斜面３５とを備えるように構成されている。なお、第１傾斜面３４及び第２傾斜面３の接続境界は、隆起部３３の頂部を構成している。第１傾斜面３４及び第２傾斜面３５共に、図１０に示すように、ヘッド部３を平面視に見て、当該ヘッド部３の両側縁に接続するように形成されている。また、各第１傾斜面３４には、各毛束６１が植設される植毛穴３２が複数形成されている。単一の第１傾斜面３４に形成される複数の植毛穴３２は、ヘッド部３の幅方向に沿って所定間隔をあけて配置されている。また、第１傾斜面３４の傾斜角度θ４は、図９に示すように、ヘッド部３の幅方向から見て、植毛面３１に対して１０°以上３０°以下の範囲となるように形成されることが好ましく、１５°以上２５°以下の範囲となるように形成されることがより好ましい。また、第１傾斜面３４に形成される植毛穴３２は、その軸線Ｌ３が、第１傾斜面３４に対して垂直な方向に沿うように形成されている。
【００４１】
このような隆起部３３を形成して、該隆起部３３の第１傾斜面３４に植毛穴３２を形成した場合であっても、ヘッド部３の幅方向から見て、植毛面３１に垂直で、かつ、ヘッド部３の先端を通過する仮想線Ｌ１を越えたヘッド部３の先端側外側領域Ｚに、ヘッド部３の先端領域において植設される先端領域毛束群６ａの一部の毛束６１における先端（毛先）が配置されるように構成して、一部の毛束６１の毛先をヘッド部３の先端から外方に配置させることが可能であり、硬質なヘッド部３の先端部分が口腔内の奥の歯茎や顎骨部分に当ることなく、毛束６１の先端部が奥歯や奥歯の裏側にまで届くことになる為、奥歯の裏側や奥歯の裏側の歯周ポケットを効率的にかつ容易に磨くことが可能となり、虫歯や歯周病を予防することができる。
【００４２】
また、隆起部３３を形成して、該隆起部３３の第１傾斜面３４に植毛穴３２を形成する場合、平線７を植毛穴３２に挿入する工程において、第１傾斜面３４に対して垂直な方向で平線７を植毛穴３２に挿入しても（植毛穴３２の軸線Ｌ３と平行に平線７を挿入しても）、平線７が、途中で止まったり、滑りを生じさせることなくスムーズに植毛穴３２の奥にまで挿入することが可能となる。
【符号の説明】
【００４３】
１  歯ブラシ
２  歯ブラシ本体
３  ヘッド部
３１  植毛面
３２  植毛穴
３３  隆起部
３４  第１傾斜面
３５  第２傾斜面
４  ネック部
５  ハンドル部
６  毛束群
６１  毛束
６ａ  先端領域毛束群
６ｂ  基端領域毛束群
６２  稜線
７  平線
Ｌ０  植毛面に垂直な垂線
Ｌ１  仮想線
Ｌ２  第２の仮想線
Ｌ３  植毛穴の軸線
【図１】
2020005981.tif 000003
【図２】
2020005981.tif 000004
【図３】
2020005981.tif 000005
【図４】
2020005981.tif 000006
【図５】
2020005981.tif 000007
【図６】
2020005981.tif 000008
【図７】
2020005981.tif 000009
【図８】
2020005981.tif 000010
【図９】
2020005981.tif 000011
【図１０】
2020005981.tif 000012